(57)【要約】【構成】ケーシングに対してスライド部材を進退させることにより、前記スライド部材に設置されたコンタクトを前記ケーシングに設置された前記ターミナルに対して接触させたり離したりしてスイッチをＯＮ／ＯＦＦさせるスライドスイッチ装置において、前記ケーシングにおける前記ターミナルのスライド方向終端部に登り傾斜の斜面部を設け、前記第二スライド部材のスライドに従って前記コンタクトがこの斜面部を登り降りし、前記ターミナルがそのスライド方向終端部に達したとき、前記コンタクトから乖離している。【効果】ターミナル終端部においてはコンタクトは斜面部に乗り上げ、ターミナルから確実に乖離させることができる。構成上ＯＮ・ＯＦＦストロークの接点における余裕が採れないスイッチにおいてもＯＮ・ＯＦＦをコントロールしやすく操作しやすい。【選択図】  図２
2015076206.tif 000002
【特許請求の範囲】
【請求項１】
ケーシングに対してスライド部材を進退させることにより、前記スライド部材に設置されたコンタクトを前記ケーシングに設置された前記ターミナルに対して接触させたり離したりしてスイッチをＯＮ／ＯＦＦさせるスライドスイッチ装置において、前記ケーシングにおける前記ターミナルのスライド方向終端部に登り傾斜の斜面部を設け、前記第二スライド部材のスライドに従って前記コンタクトがこの斜面部を登り降りし、前記ターミナルがそのスライド方向終端部に達したとき、前記コンタクトから乖離していることを特徴とするスライドスイッチ。
【請求項２】
前記斜面部はＵ溝状であることを特徴とする請求項１のスライドスイッチ装置。
【請求項３】
前記斜面部を別部材により形成したことを特徴とする請求項１又は請求項２のスライドスイッチ装置。
【発明の詳細な説明】
【技術分野】
【０００１】
この発明は対抗接点を用いたマイクロスイッチ等に対し、操作ストロークを長く採れないスライドスイッチ装置として使用される。
【背景技術】
【０００２】
従来におけるこの種のスライドスッチ装置は、ケーシングとスライド部材とを備え、前記スライドを圧縮ばねに抗して押し込むことによって、前記スライド部材に設置されたコンタクトを前記ケーシングに設置されたターミナルに接触させたり離したりしてスイッチをＯＮ・ＯＦＦしていた。そしてこの従来のスライドスイッチ装置にあっては、操作のためのスライド部材にコンタクトが設置されているが、使用者の操作ストロークはコンタクトのＯＮ・ＯＦＦストローク以上の構造となっていた。
【０００３】
【特許文献１】特表２００９−５０７７０６
【発明の開示】
【発明が解決しようとする課題】
【０００４】
しかしながら、マイクロスイッチ等を想定したＯＮ・ＯＦＦストロークは操作ストロークとほぼ同じ長さとなるため、接点における余裕が採れず、この結果スイッチの構成上、ＯＮ・ＯＦＦのコントロールがしにくいという不都合を有した。
【０００５】
この不都合を解消することがこの発明の課題である。
【課題を解決するための手段】
【０００６】
前記課題を達成するために、この発明に係るスライドスイッチ装置においては、ケーシングに対してスライド部材を進退させることにより、前記スライド部材に設置されたコンタクトを前記ケーシングに設置された前記ターミナルに対して接触させたり離したりしてスイッチをＯＮ／ＯＦＦさせるスライドスイッチ装置において、前記ケーシングにおける前記ターミナルのスライド方向終端部に登り傾斜の斜面部を設け、前記第二スライド部材のスライドに従って前記コンタクトがこの斜面部を登り降りし、前記ターミナルがそのスライド方向終端部に達したとき、前記コンタクトから乖離するようにしたものである。
【０００７】
この場合、前記斜面部をＵ溝状に形成することもできる。
【０００８】
なお、前記斜面部を別部材により形成することもできる。
【発明の効果】
【０００９】
この発明に係るスライドスイッチ装置は上記のように構成されているため、即ち、この発明に係るスライドスイッチ装置においては、ケーシングに対してスライド部材を進退させることにより、前記スライド部材に設置されたコンタクトを前記ケーシングに設置された前記ターミナルに対して接触させたり離したりしてスイッチをＯＮ／ＯＦＦさせるスライドスイッチ装置において、前記ケーシングにおける前記ターミナルのスライド方向終端部に登り傾斜の斜面部を設け、前記第二スライド部材のスライドに従って前記コンタクトがこの斜面部を登り降りし、前記ターミナルがそのスライド方向終端部に達したとき、前記コンタクトから乖離するようにしたため、ターミナル終端部においてはコンタクトは斜面部に乗り上げ、ターミナルから確実に乖離させることができる。
【００１０】
よって、このスライドスイッチ装置を使用すれば、構成上ＯＮ・ＯＦＦストロークの接点における余裕が採れないスイッチにおいてもＯＮ・ＯＦＦをコントロールしやすく操作しやすいものである。
【００１１】
この場合、前記斜面部をＵ溝状に形成すれば、先端がドーム状のコンタクトが滑らかに上り下りすることができる。
【００１２】
なお、前記斜面部を別部材により形成すれば、斜面部を容易に形成することができる。
【発明を実施するための最良の形態】
【００１３】
この発明に係るスライドスイッチ装置は実施するにあたって下記の構成に最も主要な特徴を有する。
【００１４】
「斜面部」はＵ溝状に別部材で形成するのがよい。
【００１５】
「第一スライド部材と第二スライド部材との接触する斜面の角度(第一スライド部材のスライド方向に対する)θは４５度を超え９０度未満にする」ことが必要である。なお、ＯＮ・ＯＦＦストロークは操作ストローク×tanθとなる。
【実施例】
【００１６】
以下、この発明の実施例を図面に基づいて説明する。
【００１７】
図１はこの発明に係るスライドスイッチ装置における操作前の断面図、図２は同操作後の断面図である。
【００１８】
図において、Ａはスライドスイッチ装置、１０はそのケーシングである。なお１１は前記ケーシングに形成された操作窓、１２は同ケーシング１０の内壁面に設置されたターミナルである。
【００１９】
２０は第一スライド室であり前記ケーシング１０内に形成されている。この第一スライド室２０は上下方向に延びている。３０は第二スライド室であり、前記第一スライド室２０同様前記ケーシング１０内に形成されている。この第二スライド室３０は水平方向に延び、前記第一スライド室２０とＬ字状に連通している。
【００２０】
２２は第一スライド部材であり、前記第一スライド室２０に進退可能(垂直方向)に内嵌めされている。２３は操作部であり、前記第一スライド部材２２の上部に突設されている。この操作部２３は前記操作窓１１から突出している。
【００２１】
２４は前記ケーシングに設置された第一ばね座、２５はこのばね座２４に載置された第一圧縮ばね(コイルスプリング)である。この第一圧縮ばね２５は前記第一スライド部材２２を上方に付勢している。前記操作部２３をこの第一圧縮ばね２５に抗して押圧することにより前記第一スライド部材２２を下方にスライドさせることができる。
【００２２】
２６は第一すべり対偶部材であり、前記第一スライド部材２２の側面に一体形成されている。この第一すべり対偶部材２６は下端縁に斜面部２７を有している。この斜面部２７は外方向に向かって上り傾斜であり前記第一スライド部材２２のスライド方向Ｓに対する角度θは４５度を超えて９０度未満である。
【００２３】
次に３２は第二スライド部材であり前記第二スライド室３０に進退可能(水平方向)に内嵌めされている。３３は第二すべり対偶部材であり、前記第二スライド部材３２の先端面に一体形成されている。この第二すべり対偶部材３３は上端縁に斜面部３４を有している。この斜面部３４は外方向に向かって下がり傾斜であり、前記第一すべり対偶部材２６の斜面部とほぼ隙間なく接触し、すべり対偶を構成している。３５は第二ばね座であり、前記ケーシング１０に形成されている。このばね座３５には第二圧縮ばね(コイルスプリング)３６が嵌挿されて、前記第二スライド部材３２を右方向に付勢し、前記第二すべり対偶部材３３の斜面部３４を前記第一すべり対偶部材２６の斜面部２７に押し付けている。
【００２４】
５０はコンタクトであり、前記第二スライド部材３２の側面(図において下面)に設置されている。このコンタクト５０は先端がドーム状であり、常態では圧縮ばね５１によって前記ターミナル１２に圧接されている。所謂、スイッチＯＮの状態である。
【００２５】
次に、６０は斜面部材であり、前記ケーシング１０の下部の内壁面に固定されている。この斜面部材６０は前記ターミナル１２の途中まで延びている。６１はガイド溝であり、前記斜面部材６０の上面に形成されている。このガイド溝６１は断面U字状であり、斜面部６２と水平部６３とから構成されている。この斜面部６２の始端(下端)は前記ターミナル１２の終端に一致している。
【００２６】
このように構成される前記スライドスイッチ装置Aの作動について説明する。
【００２７】
この前記スライドスイッチ装置Aは常態ではスイッチＯＮとなっている(図１の状態)。この状態で前記操作部２３を介し、前記第一スライド部材２２を前記第一圧縮ばね２５に抗して下方に押し込むと前記第一スライド部材２２の前記第一すべり対偶２６と前記第二スライド部材３２の前記第二すべり対偶３３との各々の前記斜面部２７、３４のすべり対偶によって前記第二スライド部材３２は前記第二圧縮ばね３５に抗して右方向(図において)にスライドする。すると、前記コンタクト５０は前記ターミナル１２上をすべり、その終端部直前に達すると前記斜面部材６０の前記斜面部６２に乗り上げ、ターミナル１２から完全に乖離しスイッチＯＦＦの状態になる。
【００２８】
この状態で前記操作部２３の押圧を解除すれば、前記第二圧縮ばね３５の付勢によって第二スライド部材３２は下り方向にスライドし、コンタクト５０は斜面部材６０の斜面部６１から下降し前記ターミナルに接触し、乖離状態は解除される。そして、すべり対偶を介して、前記第一圧縮ばねの付勢と共に前記第一スライド部材２２を上方に押し上げ、図１の状態(スイッチＯＮ)に戻る。
【産業上の利用可能性】
【００２９】
この発明に係るスライドスイッチ装置は、ターミナル終端部においてはコンタクトは斜面部に乗り上げ、ターミナルから確実に乖離させることができる。構成上ＯＮ・ＯＦＦストロークの接点における余裕が採れないマイクロスイッチにおいてもＯＮ・ＯＦＦをコントロールしやすく操作しやすい。産業上の利用可能性は高いものである。
【図面の簡単な説明】
【００３０】
【図１】図１はこの発明に係るスライドスイッチ装置における操作前の断面図である。
【図２】図２は同操作後の断面図である。
【符号の説明】
【００３１】
Ａ  …  スライドスイッチ装置
Ｓ  …  第一スライド部材のスライド方向
１０  …  ケーシング
１１  …  操作窓
１２  …  ターミナル
２０  …  第一スライド室
２２  …  第一スライド部材
２３  …  操作部
２４  …  第一ばね座
２５  …  第一圧縮ばね
２６  …  第一すべり対偶部材
２７  …  斜面部
３０  …  第二スライド室
３２  …  第二スライド部材
３３  …  第二すべり対偶部材
３４  …  斜面部
３５  …  第二ばね座
３６  …  第二圧縮ばね
５０  …  コンタクト
５１  …  圧縮ばね
６０  …  斜面部材
６１  …  ガイド溝
６２  …  斜面部
【図１】
2015076206.tif 000003
【図２】
2015076206.tif 000004
【手続補正書】
【提出日】平成26年10月16日(2014.10.16)
【手続補正１】
【補正対象書類名】特許請求の範囲
【補正対象項目名】全文
【補正方法】変更
【補正の内容】
【特許請求の範囲】
【請求項１】
ケーシングに対してスライド部材を進退させることにより、前記スライド部材に設置されたコンタクトを前記ケーシングに設置されたターミナルに対して接触させたり離したりしてスイッチをＯＮ／ＯＦＦさせるスライドスイッチにあって、前記ケーシングにおける前記ターミナルのスライド方向終端部に登り傾斜の斜面部を設け、前記スライド部材のスライドに従って前記コンタクトが前記斜面部を登り降りし、前記ターミナルがそのスライド方向終端部に達したとき、前記コンタクトから乖離しているスライドスイッチ装置において、前記コンタクトは常態ではＯＮであり、前記スライド部材を圧縮ばねに抗して押圧することにより前記斜面部を介してＯＦＦ状態になり、この押圧を解除した場合前記圧縮ばねの弾発によって前記コンタクトはＯＮ状態に戻ることを特徴とするスライドスイッチ装置。
【請求項２】
前記スライド部材は互いに垂直に配置された第一スライド部材と第二スライド部材からなり、第一スライド部材の第一すべり対偶部材と第二スライド部材の第二すべり対偶部材が４５度を超え９０度未満で接触していることを特徴とする請求項１のスライドスイッチ装置。
【手続補正２】
【補正対象書類名】明細書
【補正対象項目名】全文
【補正方法】変更
【補正の内容】
【発明の詳細な説明】
【技術分野】
【０００１】  この発明は対抗接点を用いたマイクロスイッチ等に対し、操作ストロークを長くとれないスライドスイッチ装置として使用される。
【背景技術】
【０００２】  従来におけるこの種のスライドスッチ装置は、ケーシングとスライド部材とを備え、前記スライドを圧縮ばねに抗して押し込むことによって、前記スライド部材に設置されたコンタクトを前記ケーシングに設置されたターミナルに接触させたり離したりしてスイッチをＯＮ・ＯＦＦしていた。そしてこの従来のスライドスイッチ装置にあっては、操作のためのスライド部材にコンタクトが設置されているが、使用者の操作ストロークはコンタクトのＯＮ・ＯＦＦストローク以上の構造となっていた。【０００３】
【特許文献１】特表２００９−５０７７０６
【発明の開示】
【発明が解決しようとする課題】
【０００４】  しかしながら、マイクロスイッチ等を想定したＯＮ・ＯＦＦストロークは操作ストロークとほぼ同じ長さとなるため、接点における余裕がとれず、この結果スイッチの構成上、ＯＮ・ＯＦＦのコントロールがしにくいという不都合を有した。【０００５】  この不都合を解消することがこの発明の課題である。
【課題を解決するための手段】
【０００６】  前記課題を達成するために、この発明に係るスライドスイッチ装置においては、ケーシングに対してスライド部材を進退させることにより、前記スライド部材に設置されたコンタクトを前記ケーシングに設置されたターミナルに対して接触させたり離したりしてスイッチをＯＮ／ＯＦＦさせるスライドスイッチにあって、前記ケーシングにおける前記ターミナルのスライド方向終端部に登り傾斜の斜面部を設け、前記スライド部材のスライドに従って前記コンタクトが前記斜面部を登り降りし、前記ターミナルがそのスライド方向終端部に達したとき、前記コンタクトから乖離しているスライドスイッチ装置において、前記コンタクトは常態ではＯＮであり、前記スライド部材を圧縮ばねに抗して押圧することにより前記斜面部を介してＯＦＦ状態になり、この押圧を解除した場合前記圧縮ばねの弾発によって前記コンタクトはＯＮ状態に戻るものである。【０００７】  この場合、前記スライド部材は互いに垂直に配置された第一スライド部材と第二スライド部材からなり、第一スライド部材の第一すべり対偶部材と第二スライド部材の第二すべり対偶部材が４５度を超え９０度未満で接触させることもできる。
【発明の効果】
【０００８】  この発明に係るスライドスイッチ装置は上記のように構成されているため、即ち、ケーシングに対してスライド部材を進退させることにより、前記スライド部材に設置されたコンタクトを前記ケーシングに設置されたターミナルに対して接触させたり離したりしてスイッチをＯＮ／ＯＦＦさせるスライドスイッチにあって、前記ケーシングにおける前記ターミナルのスライド方向終端部に登り傾斜の斜面部を設け、前記スライド部材のスライドに従って前記コンタクトが前記斜面部を登り降りし、前記ターミナルがそのスライド方向終端部に達したとき、前記コンタクトから乖離しているスライドスイッチ装置において、前記コンタクトは常態ではＯＮであり、前記スライド部材を圧縮ばねに抗して押圧することにより前記斜面部を介してＯＦＦ状態になり、この押圧を解除した場合前記圧縮ばねの弾発によって前記コンタクトはＯＮ状態に戻るため、ターミナル終端部においてはコンタクトは斜面部に乗り上げ、ターミナルから確実に乖離させることができる。【０００９】  よって、このスライドスイッチ装置を使用すれば、構成上ＯＮ・ＯＦＦストロークの接点における余裕がとれないスイッチにおいてもＯＮ・ＯＦＦをコントロールしやすく操作しやすいものである。【００１０】  この場合、前記スライド部材は互いに垂直に配置された第一スライド部材と第二スライド部材からなり、第一スライド部材の第一すべり対偶部材と第二スライド部材の第二すべり対偶部材が４５度を超え９０度未満で接触させれば、操作する第一スライド部材のストロークよりも第二スライド部材のストロークは長くなる。
【発明を実施するための最良の形態】
【００１１】  この発明に係るスライドスイッチ装置は実施するにあたって下記の構成に最も主要な特徴を有する。【００１２】  「斜面部」はＵ溝状に別部材で形成するのがよい。【００１３】  「第一スライド部材と第二スライド部材との接触する斜面の角度（第一スライド部材のスライド方向に対する）θは４５度を超え９０度未満にする」ことが必要である。なお、ＯＮ・ＯＦＦストロークは操作ストローク×ｔａｎθとなる。
【実施例】
【００１４】  以下、この発明の実施例を図面に基づいて説明する。【００１５】  図１はこの発明に係るスライドスイッチ装置における操作前の断面図、図２は同操作後の断面図である。【００１６】  図において、Ａはスライドスイッチ装置、１０はそのケーシングである。なお１１は前記ケーシングに形成された操作窓、１２は同ケーシング１０の内壁面に設置されたターミナルである。【００１７】  ２０は第一スライド室であり前記ケーシング１０内に形成されている。この第一スライド室２０は上下方向に延びている。３０は第二スライド室であり、前記第一スライド室２０同様前記ケーシング１０内に形成されている。この第二スライド室３０は水平方向に延び、前記第一スライド室２０とＬ字状に連通している。【００１８】  ２２は第一スライド部材であり、前記第一スライド室２０に進退可能（垂直方向）に内嵌めされている。２３は操作部であり、前記第一スライド部材２２の上部に突設されている。この操作部２３は前記操作窓１１から突出している。【００１９】  ２４は前記ケーシングに設置された第一ばね座、２５はこのばね座２４に載置された第一圧縮ばね（コイルスプリング）である。この第一圧縮ばね２５は前記第一スライド部材２２を上方に付勢している。前記操作部２３をこの第一圧縮ばね２５に抗して押圧することにより前記第一スライド部材２２を下方にスライドさせることができる。【００２０】  ２６は第一すべり対偶部材であり、前記第一スライド部材２２の側面に一体形成されている。この第一すべり対偶部材２６は下端縁に斜面部２７を有している。この斜面部２７は外方向に向かって上り傾斜であり前記第一スライド部材２２のスライド方向Ｓに対する角度θは４５度を超えて９０度未満である。【００２１】  次に３２は第二スライド部材であり前記第二スライド室３０に進退可能（水平方向）に内嵌めされている。３３は第二すべり対偶部材であり、前記第二スライド部材３２の先端面に一体形成されている。この第二すべり対偶部材３３は上端縁に斜面部３４を有している。この斜面部３４は外方向に向かって下がり傾斜であり、前記第一すべり対偶部材２６の斜面部とほぼ隙間なく接触し、すべり対偶を構成している。３５は第二ばね座であり、前記ケーシング１０に形成されている。このばね座３５には第二圧縮ばね（コイルスプリング）３６が嵌挿されて、前記第二スライド部材３２を右方向に付勢し、前記第二すべり対偶部材３３の斜面部３４を前記第一すべり対偶部材２６の斜面部２７に押し付けている。【００２２】  ５０はコンタクトであり、前記第二スライド部材３２の側面（図において下面）に設置されている。このコンタクト５０は先端がドーム状であり、常態では圧縮ばね５１によって前記ターミナル１２に圧接されている。所謂、スイッチＯＮの状態である。【００２３】  次に、６０は斜面部材であり、前記ケーシング１０の下部の内壁面に固定されている。この斜面部材６０は前記ターミナル１２の途中まで延びている。６１はガイド溝であり、前記斜面部材６０の上面に形成されている。このガイド溝６１は断面Ｕ字状であり、斜面部６２と水平部６３とから構成されている。この斜面部６２の始端（下端）は前記ターミナル１２の終端に��致している。【００２４】  このように構成される前記スライドスイッチ装置Ａの作動について説明する。【００２５】  この前記スライドスイッチ装置Ａは常態ではスイッチＯＮとなっている（図１の状態）。この状態で前記操作部２３を介し、前記第一スライド部材２２を前記第一圧縮ばね２５に抗して下方に押し込むと前記第一スライド部材２２の前記第一すべり対偶２６と前記第二スライド部材３２の前記第二すべり対偶３３との各々の前記斜面部２７、３４のすべり対偶によって前記第二スライド部材３２は前記第二圧縮ばね３６に抗して右方向（図において）にスライドする。すると、前記コンタクト５０は前記ターミナル１２上をすべり、その終端部直前に達すると前記斜面部材６０の前記斜面部６２に乗り上げ、ターミナル１２から完全に乖離しスイッチＯＦＦの状態になる。【００２６】  この状態で前記操作部２３の押圧を解除すれば、前記第二圧縮ばね３６の付勢によって第二スライド部材３２は下り方向にスライドし、コンタクト５０は斜面部材６０の斜面部６２から下降し前記ターミナルに接触し、乖離状態は解除される。そして、すべり対偶を介して、前記第一圧縮ばねの付勢と共に前記第一スライド部材２２を上方に押し上げ、図１の状態（スイッチＯＮ）に戻る。
【産業上の利用可能性】
【００２７】  この発明に係るスライドスイッチ装置は、ターミナル終端部においてはコンタクトは斜面部に乗り上げ、ターミナルから確実に乖離させることができる。構成上ＯＮ・ＯＦＦストロークの接点における余裕がとれないマイクロスイッチにおいてもＯＮ・ＯＦＦをコントロールしやすく操作しやすい。産業上の利用可能性は高いものである。
【図面の簡単な説明】
【００２８】
【図１】  図１はこの発明に係るスライドスイッチ装置における操作前の断面図である。
【図２】  図２は同操作後の断面図である。
【符号の説明】
【００２９】Ａ  …  スライドスイッチ装置
Ｓ  …  第一スライド部材のスライド方向
１０  …  ケーシング
１１  …  操作窓
１２  …  ターミナル
２０  …  第一スライド室
２２  …  第一スライド部材
２３  …  操作部
２４  …  第一ばね座
２５  …  第一圧縮ばね
２６  …  第一すべり対偶部材
２７  …  斜面部
３０  …  第二スライド室
３２  …  第二スライド部材
３３  …  第二すべり対偶部材
３４  …  斜面部
３５  …  第二ばね座
３６  …  第二圧縮ばね
５０  …  コンタクト
５１  …  圧縮ばね
６０  …  斜面部材
６１  …  ガイド溝
６２  …  斜面部